(57)【要約】      （修正有）【課題】より効果的な演出を行うことができる宝石箱を提供する。【解決手段】有底で上方が開放された箱体１０と、箱体１０の上方を開閉可能な蓋体２０と、を有し、箱体１０内には、宝石類Ｈと、メッセージが刻印された透明なメッセージ板１２と、宝石類Ｈ及びメッセージが刻印された透明なメッセージ板１２を側方より照らす発光素子Ｌと、が少なくとも収納されている。そして、メッセージ板１２は、箱体１０内より出し入れ可能に設けられている。【選択図】図３
2020018423.tif 000002
【特許請求の範囲】
【請求項１】
有底で上方が開放された箱体と、
前記箱体の上方を開閉可能な蓋体と、を有し、
前記箱体内には、
宝石類と、
メッセージが刻印された透明な樹脂板と、
前記宝石類及び前記樹脂板を側方より照らす発光素子と、が少なくとも収納されてなる宝石箱。
【請求項２】
前記樹脂板は、前記箱体内より出し入れ可能に設けられてなる請求項１に記載の宝石箱。
【発明の詳細な説明】
【技術分野】
【０００１】
本発明は、指輪やネックレス等の宝石類を収納するための宝石箱に関する。
【背景技術】
【０００２】
従来の宝石箱として、特許文献１に記載のようなものが知られている。この特許文献１に記載の宝石箱は、指輪やネックレス等の宝石類を入れてプレゼントする場合に、薄暗い室内照明や暗い屋外であっても、蓋に設けられたＬＥＤによって、宝石類を照らすことでき、もって、宝石類がそのＬＥＤによって輝いて見え、効果的な演出を行うことができるというものである。
【先行技術文献】
【特許文献】
【０００３】
【特許文献１】特開２００８−２７９２２７号公報
【発明の概要】
【発明が解決しようとする課題】
【０００４】
しかしながら、上記のような宝石箱は、宝石類のみを上方から照らしているだけであるため、より効果的な演出を行うにあたりさらなる改善が必要であるという問題があった。
【０００５】
そこで本発明は、上記問題に鑑み、より効果的な演出を行うことができる宝石箱を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の宝石箱によれば、有底で上方が開放された箱体（１０）と、
前記箱体（１０）の上方を開閉可能な蓋体（２０）と、を有し、
前記箱体（１０）内には、
宝石類（Ｈ）と、
メッセージ（１２ａ）が刻印された透明な樹脂板（例えば、メッセージ板１２）と、
前記宝石類（Ｈ）及び前記樹脂板（例えば、メッセージ板１２）を側方より照らす発光素子（Ｌ）と、が少なくとも収納されてなることを特徴としている。
【０００８】
また、請求項２の発明によれば、上記請求項１に記載の宝石箱において、前記樹脂板（例えば、メッセージ板１２）は、前記箱体（１０）内より出し入れ可能に設けられてなることを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１の発明によれば、発光素子（Ｌ）によって、宝石類（Ｈ）及び樹脂板（例えば、メッセージ板１２）が側方より照らされるため、宝石類（Ｈ）、及び、メッセージ（１２ａ）が刻印された樹脂板（例えば、メッセージ板１２）が光輝くこととなる。これにより、より効果的な演出を行うことができることとなる。
【００１１】
また、請求項２の発明によれば、樹脂板（例えば、メッセージ板１２）が、箱体（１０）内より出し入れ可能に設けられているから、状況に応じて最適な樹脂板（例えば、メッセージ板１２）を箱体（１０）内に収納することが可能となる。
【図面の簡単な説明】
【００１２】
【図１】本発明の一実施形態に係る宝石箱の斜視図を示し、（ａ）は、箱体の上面を閉止した状態、（ｂ）は、箱体の上面を開放した状態を示す斜視図である。
【図２】同実施形態に係る照明装置の正面図である。
【図３】同実施形態に係る宝石箱の断面図を示し、（ａ）は、箱体の上面を閉止した状態、（ｂ）は、箱体の上面を開放した状態を示す断面図である。
【図４】同実施形態に係る発光素子と電池との接続内容を示す回路図である。
【図５】他の実施形態に係る宝石箱の斜視図を示し、箱体の上面を開放した状態を示す斜視図である。
【発明を実施するための形態】
【００１３】
以下、本発明に係る宝石箱の一実施形態を、図面を参照して具体的に説明する。なお、以下の説明において、上下左右の方向を示す場合は、図示正面から見た場合の上下左右をいうものとする。
【００１４】
図１に示すように、宝石箱１は、図１（ｂ）及び図３に示すように、有底で上方が開放された箱体１０と、箱体１０の上方を開閉可能な蓋体２０と、で構成されている。
【００１５】
箱体１０は、図３（ｂ）に示すように、プラスチック等で形成された断面視矩形状からなるもので、下面１０ａが有底で、上面１０ｂが開放されたものである。そして、この箱体１０内には、図３に示すように、指輪やネックレス等の宝石類Ｈが収納される第１収納空間Ｓ１と、ＬＥＤ等からなる発光素子Ｌが収納される第２収納空間Ｓ２と、で構成されている。より詳しく説明すると、この第１収納空間Ｓ１内には、図３に示すように、断面視矩形状の１対の支持脚１０Ａ，１０Ｂが適当間隔を開けて立設固定されている。この１対の支持脚１０Ａ，１０Ｂは、プラスチック等で形成されているもので、図１（ｂ）に示すように、図示右側面１０ｃから左側面１０ｄに向かって延設されているものである。しかして、このように延設され立設固定されている１対の支持脚１０Ａ，１０Ｂ間の空間内には、図３に示すように、指輪やネックレス等の宝石類Ｈを載置可能なクッション素材の支持マット１１が載置されている。そして、この１対の支持脚１０Ａ，１０Ｂ及び支持マット１１の上面には、箱体１０内より出し入れ可能なように、図３に示すように、断面視矩形状のメッセージ板１２が載置されている。
【００１６】
このメッセージ板１２は、アクリル板等の透明な樹脂素材からなるもので、図１（ｂ）に示すように、箱体１０の前側面１０ｅ側に、レーザ加工や彫刻等でメッセージ１２ａが刻印されている。そして、このメッセージ板１２の中央部には、図３に示すように、指輪やネックレス等の宝石類Ｈを挿通可能な挿通孔１２ｂが上下方向に向かって貫通して設けられている。
【００１７】
一方、第２収納空間Ｓ２内には、図３に示すように、ＬＥＤ等からなる発光素子Ｌが取付け固定されている照明装置１３が、箱体１０内より出し入れ可能に載置されている。この照明装置１３は、プラスチック等で形成されているもので、図３に示すように、断面視Ｌ字形の取付板１３ａと、この取付板１３ａの上面１３ａ１に固定配置されている断面視矩形状の遮光板１３ｂとで構成されている。この取付板１３ａの上面１３ａ１側には、図２に示すように、１対のＬＥＤ等からなる発光素子Ｌが取付け固定されている。そして、この取付板１３ａ内の中央部には、図３に示すように、断面視矩形状の基板１４が配置固定されており、この基板１４には、発光素子Ｌの配線Ｌａと、発光素子Ｌに電力を供給するための電池Ｄの配線Ｄａが接続されている。なお、この電池Ｄは、ボタン型の電池からなるもので、取付板１３ａの下面１３ａ２に載置されているものである。
【００１８】
ここで、ＬＥＤ等からなる発光素子Ｌと電池Ｄとの接続内容を、より詳しく図４を参照して説明する。図４に示すように、ＬＥＤ等からなる発光素子Ｌと電池Ｄとの接続は直列回路となるように接続されている。より詳しく説明すると、２個の発光素子Ｌが直列に接続され、これら発光素子Ｌのアノード側には、それぞれダンピング抵抗Ｒが接続されている。そして、これら発光素子Ｌに電力を供給するための電池Ｄが３個、直列に接続されており、これら電池Ｄとこれら発光素子Ｌとは、スイッチＳＷを介して直列に接続されている。これにより、ＬＥＤ等からなる発光素子Ｌと電池Ｄとの接続は直列回路となるように接続されることとなる。
【００１９】
ところで、このスイッチＳＷは、マグネットスイッチからなるもので、常時は、図４（ｂ）に示すように、閉状態となっており、ＬＥＤ等からなる発光素子Ｌに、電池Ｄからの電力が供給されるようになっている。これにより、ＬＥＤ等からなる発光素子Ｌが点灯することとなる。
【００２０】
一方、スイッチＳＷの付近にマグネットによる磁力が発生すると、その磁力の力によって、図４（ａ）に示すように、開状態となり、ＬＥＤ等からなる発光素子Ｌに、電池Ｄからの電力が供給されなくなるようになっている。これにより、ＬＥＤ等からなる発光素子Ｌが消灯することとなる。
【００２１】
かくして、このようにして、ＬＥＤ等からなる発光素子Ｌは、点灯又は消灯することとなる。
【００２２】
しかして、このようにＬＥＤ等からなる発光素子Ｌが点灯すると、図３（ｂ）に示すように、光Ｌｂにより、宝石類Ｈ及びメッセージ板１２が側方より照らされることとなり、もって、宝石類Ｈ、並びに、レーザ加工や彫刻等でメッセージ１２ａが刻印されたメッセージ板１２が光輝くこととなる。これにより、高級感あふれる宝石箱１を提供することが可能となる。なお、ＬＥＤ等からなる発光素子Ｌが点灯した際、光Ｌｂが四方に拡散することとなるが、宝石類Ｈ及びメッセージ板１２の側方への光Ｌｂが強調されるように、取付板１３ａの上面１３ａ１に一対の発光素子Ｌの上方を覆うように遮光板１３ｂが固定配置されている。これにより、ＬＥＤ等からなる発光素子Ｌの上方への光Ｌｂの拡散が遮光板１３ｂによって規制されることとなり、もって、宝石類Ｈ及びメッセージ板１２の側方への光Ｌｂが強調されることとなる。これにより、宝石類Ｈ、並びに、レーザ加工や彫刻等でメッセージ１２ａが刻印されたメッセージ板１２がより一層光輝くこととなり、より高級感あふれる宝石箱１を提供することが可能となる。
【００２３】
ところで、上記マグネットによる磁力は、図３に示す、蓋体２０に埋設されているマグネット２１によって発生するものである。この点、より詳しく説明すると、蓋体２０は、プラスチック等で形成されているもので、断面視矩形状に形成されており、箱体１０の上面１０ｂを開閉できるようになっている。そして、この蓋体２０の後側面２０ａ側には、断面視矩形状のマグネット２１が埋設されている。これにより、図３（ａ）に示すように、蓋体２０によって、箱体１０の上面１０ｂが閉止されると、マグネット２１が基板１４の近傍に位置することとなるから、スイッチＳＷの付近にマグネットによる磁力が発生することとなる。しかして、磁力の力によって、図４（ａ）に示すように、スイッチＳＷが開状態となり、ＬＥＤ等からなる発光素子Ｌに、電池Ｄからの電力が供給されなくなるから、ＬＥＤ等からなる発光素子Ｌが消灯することとなる。一方、図３（ｂ）に示すように、蓋体２０によって、箱体１０の上面１０ｂが開放されると、マグネット２１が基板１４より遠ざかることとなるから、スイッチＳＷの付近にマグネットによる磁力が発生しないこととなる。しかして、図４（ｂ）に示すように、スイッチＳＷが閉状態となり、ＬＥＤ等からなる発光素子Ｌに、電池Ｄからの電力が供給されることとなるから、ＬＥＤ等からなる発光素子Ｌが点灯することとなる。
【００２４】
かくして、上記のように構成される箱体１０と、蓋体２０とは、図１及び図３に示すように、箱体１０の後側面１０ｆと、蓋体２０の後側面２０ａとが、蝶番３０によって連結されている。これにより、蝶番３０を基点として、図１及び図３に示すように、蓋体２０が回動し、もって、箱体１０の上面１０ｂが開閉（矢印Ｙ１参照）できるようになっている。
【００２５】
しかして、以上説明した本実施形態によれば、蓋体２０によって、箱体１０の上面１０ｂが開放されると、ＬＥＤ等からなる発光素子Ｌが点灯し、もって、光Ｌｂにより、宝石類Ｈ及びメッセージ板１２が側方より照らされることとなる。これにより、宝石類Ｈ、並びに、レーザ加工や彫刻等でメッセージ１２ａが刻印されたメッセージ板１２が光輝くこととなり、より効果的な演出を行うことができることとなる。
【００２６】
また、本実施形態によれば、メッセージ板１２が箱体１０内より出し入れ可能になっているから、状況に応じて最適なメッセージ板１２を箱体１０内に収納することが可能となる。
【００２７】
なお、本実施形態において示した宝石箱１の形状や数量等はあくまで一例であり、特許請求の範囲に記載された本発明の要旨の範囲内において、種々の変形・変更が可能である。例えば、図５に示すように、蓋体２０の前側面２０ｂ中央部に、矢印Ｙ２方向に写真Ｐが挿入できる挿入孔２０ｃを貫設するようにしても良い。このようにすれば、さらに効果的な演出を行うことができることとなる。なお、蓋体２０の裏面２０ｄは、挿入孔２０ｃに挿入した写真Ｐが視認可能なように透明に形成されている。
【００２８】
また、図５に示すように、挿入孔２０ｃに写真Ｐを挿入できるようにせずとも、蓋体２０の裏面２０ｄに写真Ｐを貼り付けるようにしても良い。
【００２９】
一方、本実施形態においては、蓋体２０によって、箱体１０の上面１０ｂを閉止すると、マグネット２１による磁力の力によってＬＥＤ等からなる発光素子Ｌが消灯する例を示したが、それに限らず、使用者が、ＬＥＤ等からなる発光素子ＬをＯＮ／ＯＦＦできるスイッチを設けるようにしても良い。しかしながら、蓋体２０によって、箱体１０の上面１０ｂを閉止すると、マグネット２１による磁力の力によってＬＥＤ等からなる発光素子Ｌが消灯するようにした方が、使用者は簡単に、ＬＥＤ等からなる発光素子Ｌの点灯又は消灯を行うことができるため、好ましい。
【符号の説明】
【００３０】
１            宝石箱
１０          箱体
１２          メッセージ板（樹脂板）
１２ａ        メッセージ
２０          蓋体
２１          マグネット
Ｈ            宝石類
Ｌ            発光素子
【図１】
2020018423.tif 000003
【図２】
2020018423.tif 000004
【図３】
2020018423.tif 000005
【図４】
2020018423.tif 000006
【図５】
2020018423.tif 000007